(57)【特許請求の範囲】
【請求項１】
身体の一部または着衣部に着脱可能な形状に形成された取付手段と、該取付手段に取り付けられた装飾本体部とからなって、該装飾本体部が、中途部が最大径となり下部が略角錐形状に形成された宝石の下端を揺動支点として支持する受部を有する台部と、上記宝石の上方を覆うカバー部とを有する装身具において、
前記カバー部に、前記受部の上方位置で宝石が抜け出ない大きさで外部から宝石が見えるように貫通した開口部を形成し、
前記宝石は、その上面がカバー部の開口部から突出しないように開口部の内側に配置されており、
前記台部またはカバー部から前記宝石の下部側に向かって突出して、前記宝石が前記受部を支点にして揺動した際に前記宝石の下部の側面に衝合して前記宝石の揺動を止めて斜めの姿勢に保持する下部規制部を設け、前記宝石を繰り返し揺動可能に保持してなることを特徴とする装身具。
【請求項２】
台部に、宝石の下端を揺動可能に支持する凹状の受部が形成されていることを特徴とする請求項１に記載の装身具。
【請求項３】
カバー部が、断面略円形で環状のドーナツ状のリングからなっていることを特徴とする請求項１または２に記載の装身具。
【請求項４】
下部規制部が、宝石の揺動支点位置を中心にして周方向に略等間隔に複数突設された突部または一連の環状体からなって、揺動する宝石の下部と衝合し宝石を斜めの姿勢で保持することを特徴とする請求項１または２に記載の装身具。
【請求項５】
身体の一部または着衣部に着脱可能な形状に形成された取付手段と、該取付手段に取り付けられた装飾本体部とからなって、該装飾本体部が、中途部が最大径となり下部が略角錐形状に形成された宝石の下端を揺動支点として支持する受部を有する台部と、上記宝石の上方を覆うカバー部とを有する装身具において、
前記カバー部に、前記受部の上方位置で宝石が抜け出ない大きさで外部から宝石が見えるように貫通した開口部を形成し、
前記宝石は、その上面がカバー部の開口部から突出しないように開口部の内側に配置されており、
前記カバー部と台部との間に横向きに配置されて固定された下部規制部材を設け、該下部規制部材が宝石の下部を嵌挿する下部開口を有しており、該下部開口の口縁部は前記宝石が前記受部を支点にして揺動した際に前記宝石の下部の側面に衝合して前記宝石の揺動を止めて斜めの姿勢に保持する下部規制部となり、前記宝石を繰り返し揺動可能に保持してなることを特徴とする装身具。
【請求項６】
台部の上面が、宝石の揺動支点位置に向かって漸次下降傾斜するすり鉢状に形成されていることを特徴とする請求項１または５に記載の装身具。
【請求項７】
受部が、宝石の揺動支点位置を一定の範囲で位置決めしうるように略球面状の凹部からなっており、宝石の揺動時に上記支点位置が受部内で変位しうるようになっていることを特徴とする請求項１または５に記載の装身具。
【請求項８】
受部を形成した受具が台部に固定されてなることを特徴とする請求項２に記載の装身具。
【請求項９】
装身具の取付手段が、指輪、カフスボタン、ネクタイピン、装飾ピン、ペンダント、ブレスレット、アンクレット、ピアス、イヤリング、バンドを構成する取付手段のいずれか１つからなることを特徴とする請求項１または５に記載の装身具。
【請求項１０】
カバー部が取付手段の上部に固定されており、台部がカバー部と離間した下方位置に隙間を隔てて前記取付手段に固定されていることを特徴とする請求項１または５に記載の装身具。
【発明の詳細な説明】
【技術分野】
【０００１】
本発明は身体の一部または着衣に着脱可能な形状に設定された取付手段と、該取付手段に取り付けられて下部が略角錐形状にカットされた宝石を揺動可能に支持する装飾本体部とからなって宝石の輝度を高めうる装身具に関する。
【背景技術】
【０００２】
従来、この種の装身具として、宝石を時計などのケーシング内で自由に移動可能としたものや、実開昭６２−４８２１１号のように表面にガラスを設けて宝石が抜け出さないようにし、宝石を下端を受溝に揺動可能に係止したものなどが知られている。
しかし、上記構成では、宝石がケーシングから抜け出さないように透明ガラスが必要となり、宝石の輝きを損なう虞れがあった。
更に、後者では、上記欠点に加えて、宝石の下端が受溝から抜け出ないようにするために宝石の下部の略角錐形状の角度を小さくし、受溝の幅を狭めると共に深さにを深く設定する必要があり、これに適用できる宝石の形状が限定される欠点があった。
【特許文献１】実開昭６２−４８２１１号公報
【発明の開示】
【発明が解決しようとする課題】
【０００３】
この発明は上記事情に鑑みて創案されたものであって、その主たる課題は、ケーシングとなる装飾本体部で宝石を揺動可能に保持すると共に、外から揺動する宝石を直視することができる装身具を提供することにある。
【課題を解決するための手段】
【０００４】
この発明では、身体の一部または着衣部に着脱可能な形状に形成された取付手段と、該取付手段に取り付けられた装飾本体部とからなって、該装飾本体部が、中途部が最大径となり下部が略角錐形状に形成された宝石の下端を揺動支点として支持する受部を有する台部と、上記宝石の上方を覆うカバー部とを有する装身具において、
前記カバー部に、前記受部の上方位置で宝石が抜け出ない大きさで外部から宝石が見えるように貫通した開口部を形成し、前記宝石は、その上面がカバー部の開口部から突出しないように開口部の内側に配置されており、前記台部またはカバー部から前記宝石の下部側に向かって突出して、前記宝石が前記受部を支点にして揺動した際に前記宝石の下部の側面に衝合して前記宝石の揺動を止めて斜めの姿勢に保持する下部規制部を設け、前記宝石を繰り返し揺動可能に保持してなることを特徴とする。
下部規制部は、台部またはカバー部から前記宝石の下部側に向かって突出して、前記宝石が前記受部を支点にして揺動した際に前記宝石の下部の側面に衝合して前記宝石の揺動を止めて斜めの姿勢に保持する構成でもよい。
このカバー部はドーナツ状のリングを用いてもよい。
またカバー部は、開口部を有するプレートからなって、上記開口部が台部に向かって幅狭となる蟻溝状に形成されているものでもよい。
受部は、台部に形成された凹溝部からなっているものでもよい。
また受部は、台部と別体に形成された凹部からなっており、台部上に固定されているものでもよい。
【発明の効果】
【０００５】
この発明は、ケーシングとなる装飾本体部で宝石を揺動可能に保持すると共に、揺動により輝度を一層高めた宝石を、ガラスなどを介さずに見ることができる。
これに使用する宝石は、その下部の略角錐形状（断面が略Ｖ形状）の断面角度が狭いものに限らず広いものでも使用することができ、適用範囲を広げることができる。
カバー部はそれ自体が装飾用として用いられ、またリングを用いることもできるので、使用者の趣味感を高めることができる。
【発明を実施するための最良の形態】
【０００６】
以下に、この発明の装身具の好適実施例について図面を参照しながら説明する。
第１図に示す装身具としての指輪１は参考例を示すもので、使用者の着用する指のサイズに合わせた大きさの取付手段としてのリング部２と、該リング部２に一体に取り付けられた装飾本体部３とからなっており、下部規制部を省略している。
【０００７】
この装飾本体部３には、頭部４ａの下の中途部４ｂが最大幅に設定され、下部４ｃは略角錐形状、即ち、縦断面が略Ｖ形状にカットされた宝石４、図示例ではダイヤモンドカットされたダイヤモンドが揺動可能に支持されている。
上記装飾本体部３は、宝石４を載置する台部５と、該宝石４が抜けでないように規制するカバー部１０とからなっている。
そして、図面で明瞭なように、前記宝石４は、その上面がカバー部１０の後述の開口部１１から突出しないように開口部１１の内側の装飾本体部３内に収納されている。
【０００８】
台部５は、該台部５上で前記宝石４の下端を支点として宝石を揺動しうるようになっており、図示例の場合、宝石４の下端を揺動可能に支持するために球面状に凹窩した受部６が形成されている。
この受部６は、宝石４の支点位置を一定の範囲で位置決めして、宝石４を上記支点位置で揺動可能に支持している。
【０００９】
上記受部６は、宝石４が支点位置を中心に全周方向の揺動を可能にするため、余裕のスペースを有するものであるが、図示例では、宝石４が揺動した際に受部６の周縁部が宝石４の下部４ｃと衝合して宝石４の揺動範囲を規制しない。
しかし、受部６が宝石４の揺動範囲を規制する機能の全部または一部を有するものとしてもよい。
また、受部６内での支点位置はほぼ一定位置であることが望ましいが、宝石４の揺動時において支点位置が受部６内で自在に変位してもよい。
【００１０】
次に、カバー部１０は、中央乃至中途位置に厚み方向に貫通する中空状の開口部１１を有しており、この開口部１１の最小の開口面が宝石４の最大膨出部４ｂより小さく設定されており、宝石４が開口部１１から抜けでないようになっている。
また、本図示例ではカバー部１０に形成された開口部１１の最小の開口面から内側（図中下側）に連なる蟻溝状の周壁が上部規制部１２’となっており、前記宝石４が台部５上に倒れないように、宝石４が斜めに傾くと衝合して宝石４の揺動範囲を規制するようになっている。
【００１１】
本参考例ではカバー部１０は断面円形のドーナツ状のリングからなっている。
従って、その円形断面で挟まれて形成される開口部１１の中央が最小幅となり、上方または下方に向かって開口幅が漸次広がる形状となっているので、その内周側で中央より下方の周壁が上部規制部１２’となって蟻溝を形成している。
そして前記受部６は開口部１１の中心軸と同軸位置に設定されている。
本参考例では、宝石４が前記受部６を中心にその全周方向のいずれの方向に傾動した際にも、前記上部規制部１２’に衝合して、宝石４は斜めの姿勢で保持される。
【００１２】
この際に、カバー部１０または上部規制部１２’の配置は、揺動支点の位置が変位しても宝石４が上部規制部１２’を超えて台部５上に倒れずに、上部規制部１２’斜めの姿勢のまま起立しうる間隔に設定される。
また、同時に、宝石４の揺動時に宝石４の下端が受部６から抜けでようとすると前記カバー部１０または上部規制部１２’に宝石４が衝合して抜け出ることことがない間隔に配置されることが好ましい。
従って、上記カバー部１０の開口部１１から、宝石４の揺動を直視することができ、宝石４の輝き度合を損なうことがない。
【００１３】
この参考例では、台部５とカバー部１０とは固着されていなくてもよいが、その場合は、カバー部１０の位置と受部６の位置とは一定に固定されて装飾本体部３を形成するように固定手段９が設けられる必要がある。
図示例では、台部５とカバー部１０とは相互に固着されておらず、台部５は取付手段としてのリング部２に固着され、カバー部１０は翡翠などの宝石からなってリング部２の上部に形成された係止爪部２ａによってカバー部１０を係止しており、それが固定手段９となっている。
【００１４】
次に、第２図に示す装身具としての指輪１は、台部５は盤体からなって中央に前記実施例と同様の受部６を形成した構造からなっており、リング部２に両端が固着されている。この場合も下部規制部を省略している。
そして、リング部２はその両端部が上方へ延びてカバー部１０をネジ止めするボルトなどの固定手段９を用いて固定している。
カバー部１０は、本実施例の場合、中央に円形の貫通孔からなる開口部１１が形成された厚肉の楕円形状の盤体からなっている。
この開口部１１には、上部の開口に連接して内方へ向かって拡開する段差状の周壁からなる上部規制部１２’が一体に形成されており、蟻溝を形成している。
【００１５】
従って、宝石４は受部６を支点として揺動可能となっており、その頭部４ａは前記受部６を中心にいずれかの方向に傾動した際にも、頭部４ａの側面が上記規制部１２’に衝合する。
これにより宝石４は、カバー部１０の上部規制部１２’から外れて台部５上に倒れることはなく、また開口部１１から抜け落ちることもなく、少なくとも宝石４の一部が上部規制部１２’に接した斜めの姿勢に保持される。
その他の構成は前記参考例と同様であるので同一構成には同一符号を付して説明を省略する。
【００１６】
この発明では、装飾本体部３に下部規制部１２が設けられる構成からなっている。
第３図は、カバー部１０の外周に沿って下方へ突出する周壁１０ａの内壁面に突部からなる下部規制部１２を設けた装飾本体部３の実施例を示す。
この装飾本体部３では、カバー部１０の周壁１０ａの内壁面に、別体からなるリング状の下部規制部１２を固着した構成からなっている。
【００１７】
この下部規制部１２は先端が湾曲面からなっており、金属製でもよいが、ゴムなどの弾性体を用いてもよい。
また、この実施例では受部６は受具６Ａ内に形成されており、台部５上に固定されている。
この受具６Ａは台部５上に突設されるが、台部５に凹部を形成し、該凹部に受具６を嵌合固着して上面を台部６と同一面に形成してもよい。
この受部６に支持される宝石４は、その下端を支点として揺動し、前記下部規制部１２に宝石４の下部４ｃが衝合する位置で宝石４の揺動を止めて、宝石４を斜めの姿勢に確実に保持することができる。
【００１８】
カバー部１０の周壁１０ａの内壁面を第２図のように上部規制部として用い、これのみで宝石４を衝合した場合には、内壁面と揺動した宝石４の頭部４ａの側面の傾斜面との角度がほぼ一致してしまい、宝石４が斜めの姿勢のまま前記内壁面に隙間無く接触して掛止められて容易に動けなくなることがある。
この発明では下部規制部１２を設けて上記不都合を解消した点に特徴がある。
【００１９】
この下部規制部１２は、リング状でなくてもよく、受部６を中心に周壁１０ａの内壁面に沿って周方向に略等間隔に複数設けられた突部であってもよい。
なお、図示例では受部６は球面状の溝を有しており、その溝の範囲内で宝石４の下端が支承され、該下端を支点として揺動しうる。
またこの実施例の装飾本体部３では、台部５とカバー部１０とを一定位置に拘束する固定手段９が必要となり、模式的に点線で示している。
本実施例では下部規制部１２は宝石４の下部４ｃと衝合するように配置される必要がある。
その他の構成は前記参考例の構成と同様であるので説明を省略する。
【００２０】
次に、第４図は、台部５側に下部規制部１２を設けた装飾本体部３の異なる実施例を示す。
この下部規制部１２は、第１０図に例示したように、受部６を中心に等間隔（図示例では９０度間隔）に台部５上に柱部を突出したものでも、あるいは第１１図に例示したように円筒部を突設したものでもよい。
下部規制部１２が台部５に一体成形されず、別体からなる環状体の場合には、下部規制部１２となる環状体を受部５に固定することができる。
【００２１】
従って、各種の径の環状体を予め作っておき、宝石４の形状に応じて最適の大きさの下部規制部１２が形成された環状体を選んで台部５に固定することにより、最適の下部規制部１２を台部５に取り付けることができる。
これにより、宝石４は、その受部６上で下端を支点として揺動し、前記下部規制部１２に宝石４の下部４ｃ側が衝合する揺動角度で宝石４の揺動を止めて斜めの姿勢に確実に保持することができる。
その他の構成は前記実施例と同様であるので、その説明を省略する。
【００２２】
次に、この発明では、受部６を設けずに、台部５の上面上で宝石４が揺動する構成でもよい。
第５図に示す装飾本体部３の実施例では、台部５上に受部６を設けず扁平面としている。
【００２３】
また、下部規制部１２は第４図の実施例と同様に台部５上に立設している。
宝石４は、その下端が台部５上を変位して任意に個所を支点として揺動するが、下部規制部１２で揺動角度が規制されて、常に斜めの姿勢に保持されるようになっている。
これにより宝石４は繰り返し揺動することができる。
その他の構成は前記実施例と同様であるので、その説明を省略する。
【００２４】
第６図に示す装飾本体部３の別の実施例では、台部５が上面を開放した略箱形となっており、その周壁５ａの上端が下部規制部１２として機能している。
また、カバー部１０は下面を開放した略箱形となって、前記台部５に外嵌固定されており、それが固定手段９となっている。
この場合は、下部規制部１２が台部５と一体になって箱形を形成している。
その他の構成は前記実施例と同様であるので、その説明を省略する。
【００２５】
第７図は、カバー部１０の開口部１１に沿って、その内壁面に下方へ突出する上部規制部１２’を設けた別の参考例を示す。
この上部規制部１２’は、リング状でなくてもよく、受部６を中心にカバー部１０の内壁面に沿って周方向に略等間隔に複数設けられた突部であってもよい。
この場合、上部規制部１２’は予め形成しておきカバー部１０に固定することができるので、宝石４の形状に応じて最適の規制部を選ぶことができるので、カバー部１０に上部規制部を一体に形成して規制部の形状が固定される第２図や第３図に示した参考例より適応力に優れる。
【００２６】
なお、図示例では受部６は球面状の溝を有しており、その溝の範囲内で宝石４の下端が支承され、該下端を支点として揺動しうる。
またこの参考例の装飾本体部３では、台部５とカバー部１０とを一定位置に拘束する固定手段９が必要となり、模式的に点線で示している。
上部規制部１２’は宝石４の頭部４ａの側面と衝合する。
その他の構成は前記参考例と同様であるので説明を省略する。
【００２７】
第８図に示す装飾本体部３の更に別の実施例では、下部規制部１２が、カバー部１０と台部５との間に設けられて宝石４の下部４ｃを嵌挿する開口を有する板体１２Ａに形成されており、その開口の縁部が下部規制部１２として機能する。
図示例でこの板体はカバー部１０と共に台部５に固定部材９で中途位置に固定されるが、この固定方法は特に限定されるものではない。
なお、この実施例では台部５上に受部を設けない構成とした。
その他の構成は前記実施例と同様であるので、その説明を省略する。
【００２８】
第９図に示す装飾本体部３の参考例では、上部規制部１２’がカバー部１０の開口部１１に連接する蟻溝状の内周壁からなっており、この周壁は漸次下方に向かって幅が広がる断面テーパ状に形成されているので、傾いた宝石４を上部規制部１２’で受けることができる。
また、この実施例では、台部５の上面５ｂを宝石４の揺動支点となる個所、図示例では受部６に向かって漸次幅狭となる略すり鉢状に形成しているので、装飾本体部３が一般に水平姿勢に保持される商品の場合に、揺動した宝石４の下端は上記台部６の上面５ｂで揺動支点位置となる受部６まで滑って戻ることができる。
また、図示例で受部６は、孔からなっており、宝石４の下端が係止しない程度に嵌合して揺動支点とすることができる。
この場合、受部を設けなくてもよく、またカバー部１０や上部規制部１２の形状も他の実施例の構成に置き換えて実施しうる。
その他の構成は前記実施例と同様であるので、その説明を省略する。
【００２９】
第１２図は、装身具１の一例としてカフスボタンに適用した実施例を示す。
ここで装飾本体部３は、台部５は上面が開口する略箱型からなり周壁５ａの内周側の段部を下部規制部１２としており、開口部１１を有するカバー部１０と固定部材９を介して一体に固着されており、また前記台部５の中央には受部６が形成されている。
この台部５の下部にはカフスボタンの取付手段としての掛止部２が一体に形成されている。
【００３０】
また、第１３図は装身具１の一例としてのネクタイピンに装飾本体部３を装着した実施例を示すもので、取付手段２として裏面にクリップが設けられている。
第１４図は装身具１の一例としてのネックレスに装飾本体部３を装着した実施例を示すもので、取付手段として装飾本体部３にリングを固着し、チェーンを前記リングに通した構成からなっている。
なお、図示例では開口部を略矩形にしてある。
【００３１】
第１５図は装身具１の一例としてのブレスレットに装飾本体部３を装着した実施例を示すもので、取付手段としてブレスレットリング２に、凹部を形成して台部５となし、表面が一連となるようにカバー部１０で覆って装飾本体部３（図示例では３つ）を形成し、宝石４はその内部に揺動可能に埋設した構成からなっている。
なお、図示例では開口部１１を略楕円形にしてある。
また、この実施例で示すように、装飾部本体３の台部５は、装飾部本体３に形成された凹部、あるいは装身具の基部に一体に形成された凹部であってもよい。
そして、この凹部からなる台部５の上面はカバー部１０で塞いで宝石４が開口部１１から抜けでないようにし、また、台部５またはカバー部１０には下部規制部１２を設けて前記宝石４の揺動範囲を規制する構成からなっている。
【００３２】
第１６図は装身具１の一例としてのピアスに装飾本体部３を装着した参考例を示すもので、取付手段２がピンと、ピン受の一対の構成からなっており、装飾本体部３の裏面にピンの基端が固着されている。
【００３３】
その他、この発明で装身具は、例えばカフスボタンや装飾ボタン、ネクタイピンや飾りピン、ペンダント、ブレスレット、アンクレット、ピアス、イヤリン、バンドであっても良く、また時計や時計のバンド、その他の物品で装飾本体部３を取り付けうるものであればよい。
この場合に取付手段は、リングやフック、チェーン、ピンや係止具、バンドなどの公知の取付手段が用いられる。
また宝石は、天然石でも人造石でもよく、要するに下端が略角錐形状に形成されていればよい。
また、宝石の下部は略角錐形状からなるが、下端はここを支点として揺動可能であれば、平面や湾曲面などであってもよい。
また、前記各実施例や参考例に示した構成は、それに限定されるものではなく、各要素を適宜に組み合わせて用いることができる。
その他、要するにこの発明の要旨を変更しない範囲で種々設計変更しうること勿論である。
【図面の簡単な説明】
【００３４】
【図１】装身具の一例として指輪に適用した参考例を示す断面図である。
【図２】指輪に適用した異なる参考例を示す断面図である。
【図３】カバー部側に下部規制部を設けると共に異なる受部の装飾本体部を模式的に示す実施例の断面図である。
【図４】下部規制部を台部に設けた装飾本体部を模式的に示す実施例の断面図である。
【図５】台部に受部を形成しない装飾本体部を模式的に示す実施例の断面図である。
【図６】台部の外周壁に下部規制部を設けた装飾本体部を模式的に示す実施例の断面図である。
【図７】上部規制部をカバー部に設けた装飾本体部を模式的に示す参考例の断面図である。
【図８】下部規制部の別の実施例を示す装飾本体部を模式的に示す断面図である。
【図９】台部および受部の別の参考例を示すカバー部を模式的に示す断面図である。
【図１０】規制部の一例を示す装飾表面を省略した平面図である。
【図１１】規制部の異なる実施例を示す装飾表面を省略した平面図である。
【図１２】装身具がカフスボタンである実施例の断面図である。
【図１３】装身具がネクタイピンである実施例の平面図である。
【図１４】装身具がネックレスである実施例の正面図である。
【図１５】装身具がブレスレットである実施例の斜視図である。
【図１６】装身具がピアスである実施例の断面図である。
【符号の説明】
【００３５】
１    指輪
２    リング部
３    装飾本体部
４    宝石
５    台部
６    受部
９    固定手段
１０    カバー部
１１    開口部
１２’  上部規制部
１２    下部規制部
【図１】
0003878554.tif 000002
【図２】
0003878554.tif 000003
【図３】
0003878554.tif 000004
【図４】
0003878554.tif 000005
【図５】
0003878554.tif 000006
【図６】
0003878554.tif 000007
【図７】
0003878554.tif 000008
【図８】
0003878554.tif 000009
【図９】
0003878554.tif 000010
【図１０】
0003878554.tif 000011
【図１１】
0003878554.tif 000012
【図１２】
0003878554.tif 000013
【図１３】
0003878554.tif 000014
【図１４】
0003878554.tif 000015
【図１５】
0003878554.tif 000016
【図１６】
0003878554.tif 000017